(57)【要約】【課題】吸塵路を延長管側に分岐させたアップライト式電気掃除機において、延長管側から吸入した塵埃が吸込口体側に落下して外部に漏れ出るのを防止することを安価に達成すること。【解決手段】電動送風機４ならびにこの電動送風機４の送風上流で集塵を行う集塵部５を備えた掃除機本体１と、吸込下流側の端部が集塵部５に接続され、吸込上流側の端部が、掃除機本体１の下部に向けて下方に延在され、掃除機本体１下部に取り付けられた吸込口体２に接続された第１分岐路６１と、掃除機本体１に着脱可能に取り付けられた延長管３に接続された第２分岐路６２とに分岐された吸塵路６と、を備え、吸込口体２と延長管３とから選択的に吸込可能なアップライト式電気掃除機Ａであって、第１分岐路６１と第２分岐路６２とが、上下方向で重ならない配置となっていることを特徴とするアップライト式電気掃除機とした。【選択図】図１
2008136672.tif 000002
【特許請求の範囲】
【請求項１】
電動送風機ならびにこの電動送風機の上流側で集塵をおこなう集塵部を備えた掃除機本体と、
吸込下流側の端部が前記集塵部に接続され、吸込上流側が、前記掃除機本体の下部に向けて下方に延在する部分を有するとともに、掃除機本体下部に取り付けられた吸込口体に接続された第１分岐路と、前記吸込口体とは別の吸込風路体に連通接続された第２分岐路とに分岐された吸塵路と、
を備え、前記吸込口体と前記吸込風路体とから選択的に吸込可能なアップライト式電気掃除機であって、
前記第１分岐路の前記下方に延在する部分の下方基端部と第２分岐路の分岐基端部とを上下方向で重ならないようにずらして配置したことを特徴とするアップライト式電気掃除機。
【請求項２】
前記吸塵路において、前記第２分岐路の分岐基端部が、前記第１分岐路の下方基端部よりも吸込下流側に配置されていることを特徴とする請求項１に記載のアップライト式電気掃除機。
【請求項３】
前記吸塵路が、前記集塵部から横方向に延在されて先端が前記第１分岐路に連通する横方向部を備え、
この横方向部は、掃除機本体を起立させた状態において、水平方向に配置されるか、または、塵埃落下部よりも前記下方基端部が高くなるように配置されていることを特徴とする請求項２に記載のアップライト式電気掃除機。
【発明の詳細な説明】
【技術分野】
【０００１】
この発明は、電動送風機が内蔵された掃除機本体の下部に吸込口体が取り付けられた、いわゆるアップライト式（縦型）のアップライト式電気掃除機に関するものである。
【背景技術】
【０００２】
従来、電動送風機が内蔵された掃除機本体の下部に吸込口体が取り付けられたいわゆるアップライト式電気掃除機が知られている。
【０００３】
そして、このようなアップライト式電気掃除機において、吸込口体と電動送風機の上流に設けられた集塵部とを結ぶ吸塵路の途中に、掃除機本体から着脱可能な延長管が設けられ、掃除機本体下部の吸込口体から吸塵するほかに、掃除機本体から延長管を取り外し、この延長管の先端に各種アタッチメントを接続し、吸込口体では吸塵できない、天井などの高所や、コーナ部分や隙間部分の吸塵を行うことができるようにしたものが知られている（特許文献１参照）。
【特許文献１】特開２００５−１８５５８４号公報
【発明の開示】
【発明が解決しようとする課題】
【０００４】
上述のアップライト式電気掃除機にあっては、吸込口と集塵室との間に、常に延長管が介在されていて、管路長が長いため、管路抵抗が大きく、吸塵性能に悪影響を与える。
【０００５】
そこで、本願発明者たちは、図８に示すように、集塵部０１に接続された吸塵路０２を、その途中で、吸込口体０３に向けて下方に延びる第１分岐路０４と、延長管０５に向けて上方に延びる第２分岐路０６とに分岐させ、集塵部０１と吸込口体０３との間の管路長を短くすることを新たに提案した。
【０００６】
しかしながら、上述の技術では、図示のように、第１分岐路０４と第２分岐路０６とを一直線状に配置した場合は、延長管０５側で吸塵を行った後に、吸塵を終了して電動送風機０７を停止させたときに、第２分岐路０６側に残った塵埃が、第１分岐路０４を介して吸込口体０３側に落下して、外部に漏れ出るおそれがあるという新たな解決すべき課題を見出した。
【０００７】
本発明は、上述のように吸塵路を延長管側に分岐させたアップライト式電気掃除機において、延長管側から吸入した塵埃が吸込口体側に落下して外部に漏れ出るのを防止することを安価に達成することを目的としている。
【課題を解決するための手段】
【０００８】
上述の目的を達成するために、本発明は、電動送風機ならびにこの電動送風機の上流側で集塵をおこなう集塵部を備えた掃除機本体と、吸込下流側の端部が前記集塵部に接続され、吸込上流側が、前記掃除機本体の下部に向けて下方に延在する部分を有するとともに、掃除機本体下部に取り付けられた吸込口体に接続された第１分岐路と、前記吸込口体とは別の吸込風路体に連通接続された第２分岐路とに分岐された吸塵路とを備え、前記吸込口体と前記吸込風路体とから選択的に吸込可能なアップライト式電気掃除機であって、
前記第１分岐路の前記下方に延在する部分の下方基端部と第２分岐路の分岐基端部とを上下方向で重ならないようにずらして配置したことを特徴とするアップライト式電気掃除機とした。
【０００９】
さらに、請求項２に記載の発明は、請求項１に記載のアップライト式電気掃除機において、前記吸塵路において、前記第２分岐路の分岐基端部が、前記第１分岐路の下方基端部よりも吸込下流側に配置されていることを特徴とするアップライト式電気掃除機とした。
【００１０】
また、請求項３に記載の発明は、請求項２に記載のアップライト式電気掃除機において、前記吸塵路が、前記集塵部から横方向に延在されて先端が前記第１分岐路に連通する横方向部を備え、この横方向部は、掃除機本体を起立させた状態において、水平方向に配置されるか、または、塵埃落下部よりも前記下方基端部が高くなるように配置されていることを特徴とするアップライト式電気掃除機とした。
【発明の効果】
【００１１】
この発明によれば、延長管からの吸塵停止時に、延長管側に残っていた塵埃が第２分岐路へ落下した場合、第１分岐路の前記下方に延在する部分の下方基端部と第２分岐路の分岐基端部とを上下方向で重ならないようにずらして配置したため、吸込口体側へストレートに落下するのを防止して、吸込口体から外部に漏れ出るのを防止することができる。
【００１２】
しかも、このように塵埃が外部に漏れ出ることの防止を、単に、第１分岐路の前記下方に延在する部分の下方基端部と第２分岐路の分岐基端部とを上下方向に重ならないようにずらして配置させただけであるので、塵埃の落下を防止する弁構造などを追加するのに比べて、安価に上記効果を得ることができる。
【００１３】
請求項２に記載の発明では、第２分岐路へ落下した塵埃は、第１分岐路よりも吸込下流の位置に留まる。
【００１４】
したがって、この塵埃は、次に、アップライト式電気掃除機を作動させたときに、吸込口体側と延長管側のいずれで吸塵を行った場合でも、集塵部に集塵される。
【００１５】
このように、請求項２に記載の発明では、横方向路の途中で受止められた塵埃が、次回の使用時には、集塵部に確実に集塵されるため、この塵埃が吸塵路に長く留まり、結局外部に漏れ出てしまうことを、より確実に防止できる。
【００１６】
請求項３に記載の発明では、横方向部について、掃除機本体を起立させた際に、水平方向に配置されるか、または、塵埃落下部よりも前記下方基端部が高くなるように配置されているため、第１分岐管路に連通している部分の方が低く配置されているのと比較して、第２分岐路から横方向路に落下した塵埃が、自重で横方向路を伝って第１分岐路へ移動し難い。
【００１７】
したがって、横方向路の途中で受止められた塵埃が、掃除機本体の振動などで、第１分岐回路を通り外部に漏れ出すことを、より確実に防止することができる。
【発明を実施するための最良の形態】
【００１８】
以下、本発明の実施の形態を図面に基づいて説明する。
【００１９】
本実施の形態のアップライト式電気掃除機は、電動送風機（４）ならびにこの電動送風機（４）の送風上流で集塵を行う集塵部（５）を備えた掃除機本体（１）と、吸込下流側の端部が集塵部（５）に接続され、吸込上流側が、掃除機本体（１）の下部に向けて下方に延在され、掃除機本体（１）下部に取り付けられた吸込口体（２２）に接続された第１分岐路（６１）と、掃除機本体（１）に着脱可能に取り付けられた延長管（３）に接続された第２分岐路（６２）とに分岐された吸塵路（６）と、を備え、吸込口体（２２）と延長管（３）とから選択的に吸入可能なアップライト式電気掃除機であって、第１分岐路（６１）と第２分岐路（６２）とが、上下方向で重ならない配置となっていることを特徴とするアップライト式電気掃除機である。
【実施例１】
【００２０】
図１〜図５に基づいて本発明の最良の実施の形態の実施例１のアップライト式電気掃除機Ａについて説明する。
【００２１】
図２は実施例１のアップライト式電気掃除機Ａの外観を示す斜視図であって、この図に示すように、実施例１のアップライト式電気掃除機Ａは、掃除機本体１と吸込口体２と吸込風路体としての延長管３とを備えている。
【００２２】
掃除機本体１は、樹脂製のケース１１に覆われており、図示のように上下方向（矢印ＵＰが上方向、矢印ＤＮが下方向を示す）に長く形成されている。また、ケース１１の内部の下端部には、図１に示すように、電動送風機４が設置されており、かつ、電動送風機４の上方には、電動送風機４の吸引路の上流側に配置されて、外部から吸引された塵埃を捕集する集塵部５が設けられている。
【００２３】
この集塵部５には、集塵容器５１やクリーンフィルタ５２などが設けられており、集塵容器５１は、図２に示すようにケース１１の一部を形成する蓋部材１１ａを開閉して、掃除機本体１に着脱可能となっている。
【００２４】
吸込口体２は、掃除機本体１の下端部に取り付けられた吸込基端部２１と、この吸込基端部２１に連続して形成され、装置左右方向（矢印Ｌ，Ｒ方向）に拡がり、吸込口２２ａが開口された吸込先端部２２と、を備えている。
【００２５】
吸込基端部２１は、図２に示すように、左右に一対のローラ２１ａ（一方のみ図示している）が、床面Ｆに沿って転動可能に取り付けられている。
【００２６】
また、図１に示すように、吸込基端部２１は、掃除機本体１から下方に突き出された吸込口管１２に接続されている。
【００２７】
すなわち、吸込基端部２１に、図３に示すように、吸込口管１２の先端部に挿入可能な挿入管２１ｂが上方に突き出されており、この挿入管２１ｂを吸込口管１２に挿入させるとともに、図示を省略した係合手段により係合させて、吸込口管１２の軸心を中心とする回動を規制された状態で取り付けられている。
【００２８】
なお、挿入管２１ｂの基端部は、吸込基端部２１に形成された球面状のジョイント受部２１ｃに支持された球面状のジョイント差込部２１ｄが形成されており、挿入管２１ｂは、吸込基端部２１に対し、ジョイント差込部２１ｄとジョイント受部２１ｃとが、相互に球面部分を擦れ合わせながら相対変位可能なジョイント部２１ｊが構成されている。
【００２９】
さらに、ジョイント差込部２１ｄには、吸込口２２ａと後述する掃除機本体１内の吸塵路６との間を、遮断可能なシャッタ２１ｅが一体に形成されている。
【００３０】
図１に戻り、掃除機本体１の内部には、集塵部５と、吸込口体２および延長管３と、を接続する吸塵路６が設けられている。
【００３１】
この吸塵路６は、吸込下流側の端部が集塵部５に接続され、吸込上流側が、吸込口体２に連通された第１分岐路６１と、延長管３に連通された第２分岐路６２とに分岐されている。
【００３２】
この吸塵路６は、図４および図５に示す、円筒状の継手部材６３と第１接続管６４と第２接続管６５とにより形成されている。
【００３３】
継手部材６３は、樹脂の一体成形品であり、集塵部５に接続される開口端６３ａを横に向けて略水平方向に延在された水平管部（横方向部）６３ｂと、この水平管部６３ｂの端部で、下方に略Ｌ字状に折曲されて開口端（図示省略）を下方に向けたＬ字折曲部６３ｃと、水平管部６３ｂの中間部の開口端６３ａに近い側から上方に立ち上げられた上方分岐部６３ｄと、を備えている。
【００３４】
また、Ｌ字折曲部６３ｃの図示を省略した開口端に、円筒状の第１接続管６４が接続され、この第１接続管６４の下端部が、吸込口管１２に接続されている（図１参照）。
【００３５】
また、上方分岐部６３ｄの上方を向いた開口端（図示省略）に、円筒状の第２接続管６５が接続されている。
【００３６】
この第２接続管６５は、その先端が、図１に示すように、掃除機本体１の上端部において、下方に凹んで形成された接続用凹部１３に突出されており、この接続用凹部１３に突出された先端の延長管接続部６５ａに延長管３が接続されている。
さらに、Ｌ字折曲部６３ｃ内において、水平管部６３ｂの端部から下方に折れ曲がる部分の境界付近は、図４、図５に示すように、第１分岐路６１が下方に延在し始める下方基端部６６となっている。
また、水平管部６３ｂ内において、水平管部６３ｂと上方分岐部６３との境界付近は、図４、図５に示すように、第２分岐路６２が上方に分岐し始める分岐基端部６７となっている。
そして、これら前述した継ぎ手部材６３、第１接続管６４、第２接続管６５は、下方基端部６６と分岐基端部６７が、上下方向において重ならないようにずらして配置されている。
【００３７】
延長管３は、フレキシブルチューブ３１と延長管本体３２とを備えている。
【００３８】
この延長管本体３２は、直線状の円筒のストレート管部３２ａと、このストレート管部３２ａの基端に一体に形成された取っ手部３２ｂと、を備えている。
【００３９】
ストレート管部３２ａの先端は、掃除機本体１の上端に開口されて、上下方向に延在された差込穴１４に嵌り合った状態で差込可能に形成されている。
【００４０】
したがって、図示のように、ストレート管部３２ａを差込穴１４に差し込んだ状態で、延長管３が掃除機本体１と一体的に結合された状態となり、使用者が取っ手部３２ｂを持って掃除機本体１を移動させることができるとともに、ジョイント部２１ｊを中心に、掃除機本体１を揺動させることができる。
【００４１】
フレキシブルチューブ３１は、送風下流側の端部が、掃除機本体１の接続用凹部１３に突出された第２接続管６５の先端部に嵌め合わされており、送風上流側の端部が、取っ手部３２ｂに結合されている。
【００４２】
また、吸塵路６において、第２分岐路６２を形成する部位には、電動送風機４の通電用の電気コード７４を巻き取るコードリール７が取り付けられている。このコードリール７は、図４、図５に示すように、継手部材６３および第２接続管６５に固定された基部プレート７１と、この基部プレート７１に、巻取軸７２（図１参照）を中心に回動可能に支持された糸巻き状のリール部７３と、を備えている。
【００４３】
そして、リール部７３には、電気コード７４が巻き付けられており、巻取軸７２に設けられた図示を省略した巻取機構の作動により、リール部７３から引き出した電気コードを自動的に巻き取ることが可能に構成されている。
【００４４】
基部プレート７１には、２本のボス７１ａ，７１ａが、巻取軸７２と平行な向きに突出して一体に形成されている。
【００４５】
一方、上方分岐部６３ｄおよび第２接続管６５には、板状のフランジ７１ｂ，７１ｂが側方に突出して一体に形成されており、かつ、水平管部６３ｂの上部に板状の受用フランジ６３ｆが上方に向けて立設されている。
【００４６】
そして、基板プレート７１を受用フランジ６３ｆに当接させた状態で、ボス７１ａ，７１ａを、フランジ７１ｂ，７１ｂに、ねじ止めされることで、コードリール７が継手部材６３および第２接続管６５に取り付けられている。
【００４７】
次に、実施例１の作用を説明する。
【００４８】
床面Ｆの掃除を行う場合には、取っ手部３２ｂを持ち、掃除機本体１を、図１に示す直立状態から、図において右側に傾けた傾斜状態で、電動送風機４を駆動させる。
【００４９】
このように掃除機本体１を傾斜させた状態では、挿入管２１ｂが、図３に示す状態から吸込口体２２に対して傾き、シャッタ２１ｅが吸込口体２２に対して上方に相対移動し、吸込口２２ａが吸塵路６に連通される。
【００５０】
一方、延長管３の先端のストレート管部３２ａは、差込穴１４に差し込まれて嵌合しており、かつ、差込穴１４は底部１４ａで塞がれており、吸入抵抗が大きく吸入不可能状態となっている。
【００５１】
したがって、この状態で、電動送風機４を駆動させると、吸込口２２ａから床面Ｆの吸塵を行うことができる。そして、吸込口２２ａから吸引された塵埃は、吸塵路６において、第１分岐路６１を通って集塵部５に蓄積される。
【００５２】
次に、コーナ部分や壁や天井などの、吸込口２２ａから吸引できない箇所の掃除を行う場合には、まず、掃除機本体１を、図１に示す直立状態とする。この直立状態では、吸込口体２２に設けられたシャッタ２１ｅが図３に示す閉状態となって、吸込口２２ａと吸塵路６とが遮断される。
【００５３】
一方、延長管３の延長管本体３２を掃除機本体１の差込穴１４から抜き取り、延長管３を吸塵可能な状態とする。
【００５４】
この状態で、電動送風機４を駆動させると、延長管３の延長管本体３２の先端から吸塵することができる。この場合、延長管３から吸入された塵埃は、第２分岐路６２を通り、すなわち、第２接続管６５、上方分岐部６３ｄおよび水平管部６３ｂの一部を通り集塵部５に集塵される。
【００５５】
なお、延長管３の使用時には、用途に応じて、ストレート管部３２ａの先端に、所望のアタッチメントを装着することができる。
【００５６】
次に、この延長管３による吸引を終了すると、図１に示すように、延長管３のストレート管部３２ａを差込穴１４に差し込み、前述したように、取っ手部３２ｂを持って掃除機本体１を移動可能な状態に戻す。
【００５７】
この延長管３の使用終了後に、第２分岐路６２側では、延長管３のフレキシブルチューブ３１、第２接続管６５、上方分岐部６３ｄの途中に塵埃が残留することがあり、さらに、この残留した塵埃が、振動や重力などで、分岐基端部６７を通って水平管部６３ｂに落下することがある。
【００５８】
このように第２分岐路６２側から塵埃が落下した場合、水平管部６３ｂで受止められて、第１分岐路６１側に直接落下することがない。
【００５９】
上述のように、実施例１では、第２分岐路６２側に残留した塵埃が、吸込口２２ａから外部に漏れ出ることを防止することができる。
【００６０】
そして、水平管部６３ｂにおいて、第２分岐路６２に連通された位置は、第１分岐路６１に連通された位置よりも下流になっているため、この水平管部６３ｂで受止められた塵埃は、その後、電動送風機４を使用した際に、吸込口体２と延長管３のいずれから吸塵した場合であっても、集塵部５に集塵される。
【００６１】
以上説明したように、本実施例１のアップライト式電気掃除機Ａでは、先端が第１分岐路６１を形成する第１接続管６４に接続される継手部材６３において、第２分岐路６２を形成する上方分岐部６３ｄを、第１分岐路６１の軸心から離して水平管部６３ｂの途中の位置で上方へ分岐させるようにした。
【００６２】
このため、延長管３からの吸塵停止時に、延長管３側に残っていた塵埃が落下した場合、この塵埃を、水平管部６３ｂの中間で受止め、吸込口体２２側へストレートに落下して吸込口２２ａから外部に漏れ出るのを防止することができる。
【００６３】
しかも、このような塵埃の外部への漏れ出し防止を、単に、継手部材６３において下方基端部６６と分岐基端部６７とが上下方向に重ならないように形成しただけであるので、塵埃の落下を防止する弁構造などを追加するのに比べて、安価に上記効果を得ることができる。
【００６４】
加えて、実施例１では、上述のように、第２分岐路６２を形成する上方分岐部６３ｄを水平管部６３ｂの途中の位置で上方へ分岐させるようにしたため、水平管部６３ｂの中間で受止めた延長管３側から落下した塵埃は、次に、吸塵を行った際には、その吸塵が吸込口体２２側と延長管３側とのいずれであっても、集塵部５に集塵される。
【００６５】
このため、この塵埃が水平管部６３ｂに長く留まり、掃除機本体１の振動や傾斜などで、第１分岐路６１側に移動して、吸込口２２ａから外部に漏れ出てしまうことを、より確実に防止できる。
【００６６】
また、実施例１では、上述のように延長管３側から落下する塵埃を受止める水平管部６３ｂを略水平に延在させているため、この水平管部６３ｂが第１分岐路６１に向けて下がり傾斜している場合と比べて、塵埃が、自重や上述のような掃除機本体１の振動や傾斜により第１分岐路６１側に移動して、吸込口２２ａから外部に漏れ出てしまうことを、いっそう確実に防止できる。
【００６７】
さらに、実施例１では、吸塵路６において、第１分岐路６１と第２分岐路６２とを、上下方向で重ならないように配置するのにあたり、一体成形した継手部材６３に、第１接続管６４および第２接続管６５を接続するようにした。
【００６８】
このため、吸塵路６の全体を一体成形するのに比べて、製造容易であり、かつ、水平に配置した直管に、それぞれ、各接続管６４，６５を接続するのに比べても、製造容易である。
【００６９】
以上、図面を参照して、本発明の実施の形態および実施例１を詳述してきたが、具体的な構成は、この実施の形態および実施例１に限らず、本発明の要旨を逸脱しない程度の設計的変更は、本発明に含まれる。
【００７０】
例えば、実施例１では、第１分岐路６１と第２分岐路６２とを、上下方向で重ならないように配置させるのにあたり、横方向部としての水平管部６３ｂにおいて、集塵部５に対して、遠い側に第１分岐路６１を配置するとともに、近い側に第２分岐路６２を配置した例を示したが、これとは逆に、図６（ａ）（ｂ）に示すように、集塵部５に近い側に第１分岐路６６１ａ，６６１ｂを配置する一方で、遠い側に第２分岐路６６２ａ，６６２ｂを配置するようにしてもよい。
【００７１】
また、実施例１のように、第２分岐路６２を第１分岐路６１よりも下流に配置させるにあたって、図６（ｃ）に示すように、第２分岐路６６２ｃを集塵部５から上方へ真っ直ぐ延在させ、その途中から第１分岐路６６１ｃに分岐させるようにしてもよい。
【００７２】
また、実施例１では、横方向部として略水平方向に延在された水平管部６３ｂを示したが、この横方向部は、水平方向に延在されたものに限定されない。例えば、図７（ａ）に示す横方向部６６３ように、集塵部５に向けて下がり傾斜させたものや、あるいは図７（ｂ）に示す横方向部７６３のように、第１分岐路６１との間に、段差部７６３ａを設けたものを用いてもよい。すなわち、これら図７に示す例のものは、掃除機本体１を起立させた際に、塵埃落下部６６４、７６４よりも下方基端部６６が相対的に高い位置となるように吸塵路６を配置しているため、塵埃落下部６６４、７６４に落下した塵埃が、自重や振動や傾斜によって第１分岐路６１の方向へ移動しにくく、それだけ塵埃が吸込口２２ａから外部に漏れ出るのを、よりいっそう確実に防止できる。
【００７３】
また、実施例１では、集塵路６を掃除機本体１の内部に設けた例を示したが、これに限定されず、その一部、例えば、第１分岐路６１と第２分岐路６２の一部などを、掃除機本体１の外部に配置させてもよい。
【図面の簡単な説明】
【００７４】
【図１】本発明の実施の形態の実施例１のアップライト式電気掃除機Ａを示す断面図である。
【図２】本発明の実施の形態の実施例１のアップライト式電気掃除機Ａの外観を示す斜視図である。
【図３】本発明の実施の形態の実施例１のアップライト式電気掃除機Ａの下端部を示す拡大断面図である。
【図４】本発明の実施の形態の実施例１のアップライト式電気掃除機Ａの吸塵路６を形成する継手部材６３、第１接続管６４、第２接続管６５を示す斜視図である。
【図５】本発明の実施の形態の実施例１のアップライト式電気掃除機Ａの吸塵路６を形成する継手部材６３、第１接続管６４、第２接続管６５を示す側面図である。
【図６】（ａ）〜（ｃ）は、本発明の実施の形態の他の実施例における要部の概略を説明する概略図である。
【図７】本発明の実施の形態の他の実施例における要部の概略を説明する概略図である。
【図８】本発明に先行する技術を示す概略図である。
【符号の説明】
【００７５】
１      掃除機本体
２      吸込口体
３      延長管（吸込風路体）
４      電動送風機
５      集塵部
６      吸塵路
２２ａ  吸込口
６１    第１分岐路
６２    第２分岐路
６３ｂ  水平管部（横方向部）
６６    下方基端部
６７    分岐基端部
６６３  横方向部
７６３  横方向部
Ａ      アップライト式電気掃除機
【図１】
2008136672.tif 000003
【図２】
2008136672.tif 000004
【図３】
2008136672.tif 000005
【図４】
2008136672.tif 000006
【図５】
2008136672.tif 000007
【図６】
2008136672.tif 000008
【図７】
2008136672.tif 000009
【図８】
2008136672.tif 000010